(57)【要約】【課題】表面に対する汚れの付着による照明性能の低下を容易かつ安価に改善することを可能とし、かつ発光色を容易かつ安価に変更することを可能とする電球形ＬＥＤ照明灯を提供する。【解決手段】電球形ＬＥＤ照明灯１は上方および下方に開口部を有したすり鉢形状のホルダ７と、ホルダ７の下方の開口部を塞ぐように設けられた口金１２と、ホルダ７の上方の開口部を塞ぐように設けられたＬＥＤ基板４と、口金１２とＬＥＤ基板４との間に電気的に接続され、口金１２から供給される交流電流を直流電流に変換してＬＥＤ基板４に含まれる発光ダイオードに供給する交流直流変換回路を含む回路基板９と、発光ダイオードを覆うようにホルダ７に着脱可能に装着される透光性キャップ１を備える。汚れの付着により電球形ＬＥＤ照明灯１の照明性能が低下した場合、透光性キャップ１の交換により本来の照明性能が回復される。【選択図】図２
0003151497.tif 000002
【実用新案登録請求の範囲】
【請求項１】
上方と下方の各々に開口部を備え、上方の開口部の面積が下方の開口部の面積より広い中空のすり鉢形状を備えたホルダと、
前記ホルダの下方の開口部を塞ぐように前記ホルダに取り付けられた口金と、
前記ホルダの上方の開口部側に配置された発光ダイオードと、
前記ホルダ内に収容され、前記口金と前記発光ダイオードとの間に電気的に接続され、前記口金を介して外部電源から供給される交流電流を直流電流に変換して前記発光ダイオードに供給する交流直流変換回路と、
前記ホルダの上方側に着脱可能に取り付けられ、前記発光ダイオードを外部から覆う透光性キャップと
を備える電球形ＬＥＤ照明灯。
【請求項２】
上記ホルダの上方の開口部を塞ぐカバーを備え、
前記発光ダイオードは、前記カバーの外側の面上に配置される
請求項１に記載の電球形ＬＥＤ照明灯。
【請求項３】
前記カバーの外側の面上に、前記発光ダイオードを覆うように配置されたレンズを備え、
前記透光性キャップは前記レンズを外部から覆う
請求項２に記載の電球形ＬＥＤ照明灯。
【請求項４】
前記透光性キャップは、前記発光ダイオードから発光される光の色もしくは色温度を変更する
請求項１乃至３のいずれかに記載の電球形ＬＥＤ照明灯。
【請求項５】
前記ホルダは、外部側面に上方から下方に向かう背を持つ複数の放熱用のフィンを備える
請求項１乃至４のいずれかに記載の電球形ＬＥＤ照明灯。
【考案の詳細な説明】
【技術分野】
【０００１】
本考案は、電球形のＬＥＤ照明灯に関する。
【背景技術】
【０００２】
ＬＥＤ（Ｌｉｇｈｔ  Ｅｍｉｔｔｉｎｇ  Ｄｉｏｄｅ、発光ダイオード）を用いた照明灯（以下、「ＬＥＤ照明灯」という）は従来の電球と比べ、一般的に省エネルギー性に優れている。そのため、地球環境問題や化石燃料枯渇問題に対する関心が高まる昨今、ＬＥＤ照明灯に対する需要が高まっている。
【０００３】
それまで電球が取り付けられていた照明器具のソケットに対し取り付け可能なＬＥＤ照明灯があれば、ユーザは照明器具を取り替えることなく、電球をＬＥＤ照明灯と取り換えるだけでよい。そのような電球との互換性を備えたＬＥＤ照明灯（以下、「電球形ＬＥＤ照明灯」という）を提案している特許文献として、例えば特許文献１がある。
【先行技術文献】
【特許文献】
【０００４】
【特許文献１】特開２００９−３７９９５号公報
【考案の概要】
【考案が解決しようとする課題】
【０００５】
電球は安価であると同時に寿命が比較的短いため、表面への汚れの付着により照明性能が低下すると、ユーザは電球を新しいものに交換することにより本来の照明性能を取り戻すことができる。これに対し、電球形ＬＥＤ照明灯は高価であると同時に寿命が長いため、表面への汚れの付着により照明性能が低下すると、ユーザは本来の照明性能を得るために、付着した汚れを清掃する必要がある。照明灯は一つの空間において多数が用いられている場合も多く、個々の照明灯を清掃する作業は手間・コストを要する。
【０００６】
また、蛍光灯を用いた照明灯には、昼光色、昼白色、白色、温白色、電球色のように、各々異なる色の発光を行うものが製造されている。なお、蛍光灯を用いた照明灯のあるものは、電球の代替品として製造されている。蛍光灯を用いた照明灯は、電球より高価かつ長寿命であるが、ＬＥＤ照明灯よりかなり安価かつ低寿命ある。従って、ユーザは照明灯の買い換えにより発光色を好みのものに変更することができる。これに対し、発光色を変更したい場合にＬＥＤ照明灯を買い換えることは、ユーザにとってコスト面の負担が大きい。
【０００７】
本考案は上記の課題に鑑み、表面に対する汚れの付着による照明性能の低下を容易かつ安価に改善することを可能とし、かつ発光色を容易かつ安価に変更することを可能とする電球形ＬＥＤ照明灯を提供することを目的とする。
【課題を解決するための手段】
【０００８】
上記課題を達成するために、本考案は、
上方と下方の各々に開口部を備え、上方の開口部の面積が下方の開口部の面積より広い中空のすり鉢形状を備えたホルダと、
前記ホルダの下方の開口部を塞ぐように前記ホルダに取り付けられた口金と、
前記ホルダの上方の開口部側に配置された発光ダイオードと、
前記ホルダ内に収容され、前記口金と前記発光ダイオードとの間に電気的に接続され、前記口金を介して外部電源から供給される交流電流を直流電流に変換して前記発光ダイオードに供給する交流直流変換回路と、
前記ホルダの上方側に着脱可能に取り付けられ、前記発光ダイオードを外部から覆う透光性キャップと
を備える電球形ＬＥＤ照明灯
を提供する（第１の実施態様）。
【０００９】
上記第１の実施態様において、前記電球形ＬＥＤ照明灯は
上記ホルダの上方の開口部を塞ぐカバーを備え、
前記発光ダイオードは、前記カバーの外側の面上に配置される
構成としてもよい（第２の実施態様）。
【００１０】
上記第２の実施態様において、前記電球形ＬＥＤ照明灯は
前記カバーの外側の面上に、前記発光ダイオードを覆うように配置されたレンズを備え、
前記透光性キャップは前記レンズを外部から覆う
構成としてもよい（第３の実施態様）。
【００１１】
上記第１乃至第３のいずれかの実施態様において、
前記透光性キャップは、前記発光ダイオードから発光される光の色もしくは色温度を変更する
構成としてもよい（第４の実施態様）。
【００１２】
上記第１乃至第４のいずれかの実施態様において、
前記ホルダは、外部側面に上方から下方に向かう背を持つ複数の放熱用のフィンを備える
構成としてもよい（第５の実施態様）。
【考案の効果】
【００１３】
本考案の第１の実施態様によれば、透光性キャップに汚れが付着した場合、ユーザは透光性キャップを新しいものに取り換えるだけで、容易かつ安価に汚れのために低下した照明性能を回復させることができる。
【００１４】
本考案の第３の実施態様によれば、例えば直進性の強い発光ダイオードから発光される光を拡散させる弾丸形レンズを発光ダイオードを覆うように配置することにより、電球や蛍光灯と同様に広い範囲を照明可能な電球形ＬＥＤ照明灯が実現される。また、例えばレンズと一体成形もしくはレンズと係合しレンズを発光ダイオードの配置されたカバーへ押しつけて固定するレンズホルダにより、ホルダの上方の開口部を水密に封止する構成とすれば、交流直流変換回路が配置されているホルダ内部への水や埃の進入を防ぐことができ、着脱可能な透光性キャップがそれらを外部から封止できなくとも、電球形ＬＥＤ照明灯が水や埃により故障することが防止される。
【００１５】
本考案の第４の実施態様によれば、発光ダイオードから発光される光を、例えば昼光色、白色のように各々異なる色温度や、赤色、青色のように各々異なる色に変化させる透光性キャップを付け替えることにより、ユーザが望む色温度もしくは色の照明を行わせることが可能となる。
【００１６】
本考案の第５の実施態様によれば、発光ダイオードおよび交流直流変換回路が発する熱をフィンにより短時間で放熱するこができ、熱による劣化や損傷から発光ダイオードが守られる。また、フィンの背がホルダの上方から下方へ向かう方向にフィンが配置されることにより、発光ダイオードが発した熱を奪って高温化した空気がフィンの溝に沿って移動した後、大気へと拡散されることにより、効率的な放熱が行われる。
【図面の簡単な説明】
【００１７】
【図１】図１は、本考案の実施形態にかかる電球形ＬＥＤ照明灯の側面図である。
【図２】図２は、本考案の実施形態にかかる電球形ＬＥＤ照明灯の組立図である。
【考案を実施するための形態】
【００１８】
［１．実施形態］
図１は、本考案の実施形態にかかる電球形ＬＥＤ照明灯１の側面図である。図１（ａ）〜（ｃ）は、口金がＥ２６型、Ｅ１７型、ＥＺ１１型である場合を示している。なお、これらの口金の形状は広く用いられている電球の口金の規格に従ったものであれば、いずれの形状のものが採用されてもよく、図１（ａ）〜（ｃ）はそれらの異なる規格の口金の一例を示したものである。また、図１に示すように、口金の形状は様々であるが、電球形ＬＥＤ照明灯１の口金以外の部分の形状は共通している。例えば、図１（ａ）に示すｘ方向の長さ（直径）は５７ミリメートルであり、ｙ方向の長さは１０５ミリメートルである。
【００１９】
図２は、電球形ＬＥＤ照明灯１の組み立て図である。なお、図２（ｂ）は透光性キャップ１を取り外した状態でレンズ／レンズホルダ２を図２（ａ）の上方から見た図である。電球形ＬＥＤ照明灯１は、以下の構成部を備えている。
【００２０】
ホルダ７：例えばアルミダイキャスト製であり、表面に多数のフィンを備えることによりヒートシンク機能を備えた中空のすり鉢形状の部品である。すり鉢形状の下方と上方の各々に開口部を有する。フィンはその背が図２における上方から下方に向かう方向となるように、ホルダ７の本体から放射状に突起している。また、フィン間の溝の底面は滑らかに湾曲するように成形されている。フィンがそのような構造を備えるため、ＬＥＤ基板４において発光ダイオードにより発せられた熱により暖められた空気がフィンの溝に沿って流れ、大気へと拡散しやすい。
【００２１】
口金１２：ホルダ７の下方の開口部を、インシュレータ１０を介して塞ぐように取り付けられる部品である。導電性の高い金属性で、照明器具のソケット側に設けられたネジ山と係合するように、側面にネジ溝が設けられている。また、底部には側面と電気的に絶縁された端子部が設けられており、照明器具のソケットにねじ込まれて係合した際、側面と端子部が各々、異なる極性の端子として機能し、外部電源から交流電流の供給を受ける。
【００２２】
インシュレータ１０：ホルダ７と口金１２との間に配置され、それらを互いに連結するとともに、ホルダ７を口金１２から電気的に絶縁する。
回路基板９：交流直流変換回路が設けられた回路基板である。例えば、インシュレータ１０に設けられたスリットに差し込まれることにより電球形ＬＥＤ照明灯１において固定される。入力側の正負の端子は各々、口金１２の底部の端子部および側面に電気的に接続され、出力側の正負の端子は各々、ＬＥＤ基板４に設けられた発光ダイオード群の正負の端子に電気的に接続されている。口金１２を介して外部電源から供給される交流電流を直流電流に変換し、ＬＥＤ基板４に供給する。
【００２３】
取り付けネジ８：インシュレータ１０をホルダ７に取り付ける。
放熱シート５：高い放熱性を有する素材でできた、例えば両面粘着シートであり、ホルダ７とＬＥＤ基板４との間に取り付けられ、ＬＥＤ基板４において発生する熱を効率的にホルダ７に伝導させる。
ＬＥＤ基板４：直列接続された複数（図２の例では７個）の発光ダイオードが上面に配設され、それらの発光ダイオード群を回路基板９と電気的に接続するための配線材が下面から出ている。ホルダ７の上方の開口部を塞ぐカバーの役割も果たす。
【００２４】
レンズ／レンズホルダ２：発光ダイオード群を構成する発光ダイオードの各々の覆うように各々配置される弾丸形の複数のレンズと、それらのレンズを所定位置に固定するレンズホルダから成る。レンズは、指向性の強い発光ダイオードの光を広い範囲に拡散させる役割を果たす。レンズ群とレンズホルダは一体成形により製造されてもよいし、独立したピースとして製造された複数のレンズおよびレンズホルダを組み立てることにより製造されてもよい。
【００２５】
後者の場合、例えば、個々のレンズの底面の縁部から側面に対し垂直外側方向に例えば０．５ミリメートルほど突起した環状のフランジをレンズと一体成形により設けておく。一方、レンズホルダは、レンズよりやや軟質で多少の弾性を有する円盤状の樹脂材に、当該フランジを除くレンズの直径より例えば０．２ミリメートルほど小さな直径の円形の開口部をレンズの各々に対応する位置に設けることにより製造される。レンズをレンズホルダの開口部に図２における下方から上方に差し込むことにより、レンズホルダが弾性変形しレンズをホールドし、レンズ／レンズホルダ２が製造される。
【００２６】
また、レンズホルダの外径はホルダ７の上方の開口部の内径より例えば０．２ミリメートルほど大きく、ホルダ７の上方の開口部に嵌め込まれる際、弾性変形によりホルダ７の内部を外部から封止する。もしくは、例えばレンズ／レンズホルダ２が一体成形により製造され、レンズホルダが十分な弾性を有さない場合には、レンズホルダの外縁とホルダ７の上方の開口部の内壁とを塞ぐように環状の弾性体からできたパッキンを設ける等により、ホルダ７の内部を外部から封止するようにしてもよい。このようにホルダ７の内部を外部から封止することにより、透光性キャップ１とホルダ７との間から水や埃が進入した場合であっても回路基板９に水や埃が到達せず、電球形ＬＥＤ照明灯１の故障のリスクが低減される。
【００２７】
取り付けネジ３：レンズ／レンズホルダ２をホルダ７に取り付ける。その際、放熱シート５およびＬＥＤ基板４はレンズ／レンズホルダ２とホルダ７に挟み込まれ、電球形ＬＥＤ照明灯１において固定される。
透光性キャップ１：透光性を備え多少の弾性を有する樹脂材でできたドーム型の屋根部の下方の縁部に、屋根部の底面を構成する円の直径よりやや大きく、ホルダ７の直径より例えば０．２ミリメートルほど小さな直径の円筒形状の台部（透光性キャップ１を帽子に見立てた場合の縁にあたる部分）を一体成形により設けた構造を有している。台部にホルダ７の上部が嵌め込まれることにより、透光性キャップ１が弾性変形しホルダ７をホールドする。その結果、通常の使用において透光性キャップ１はホルダ７から脱落しない。
【００２８】
透光性キャップ１には、異なる色温度および色のものが準備され、ユーザは好みのものを電球形ＬＥＤ照明灯１本体に取り付けることにより、電球形ＬＥＤ照明灯１により照明の行われる空間の演出を行うことができる。その場合も、異なる色温度／色の透光性キャップ１を付け替えるだけでよいため、低価格で容易にそのような演出を行うことができる。異なる色温度とは、例えば昼光色、昼白色、白色、温白色、電球色であり、異なる色とは、例えば赤、青、黄色、緑、青、ピンク等の様々な色である。すなわち、透光性キャップ１がフィルタの役割を果たし、様々な色温度もしくは色の空間を作り出す。
【００２９】
上記の構成を備える電球形ＬＥＤ照明灯１によれば、例えば中華料理店など、油を多く使う飲食店において用いられる電球形ＬＥＤ照明灯に油分が付着して照明性能が低下しても、ユーザは透光性キャップ１を新しいものと交換するだけで本来の照明性能を回復させることができる。透光性キャップ１は樹脂製で安価に製造できるため、交換に要する費用はさほどユーザの負担とならない。また、透光性キャップ１は簡単に着脱可能であるため、多数の透光性キャップ１を交換する必要がある場合であっても、その交換に要する手間もさほどユーザの負担とならない。
【００３０】
［２．変形例］
上述した実施形態は本考案の技術的思想の範囲内で様々に変形可能である。以下にそのような変形例を示す。
【００３１】
レンズ／レンズホルダ２によりホルダ７の内部を外部から封止する代わりに、ＬＥＤ基板４を多少の弾性を有する樹脂材でカバーし、ホルダ７の上方の開口部に嵌め込むことにより、樹脂材の弾性変形によりホルダ７の内部を外部から封止するようにしてもよい。そのような構成を採用しても、透光性キャップ１とホルダ７との間から水や埃が進入した場合に回路基板９に水や埃が到達せず、電球形ＬＥＤ照明灯１の故障のリスクが低減される。
【００３２】
なお、上述した実施形態は本考案の技術的思想を説明するための例示であって、本考案は実施形態の具体例によって限定的に解釈されるべきではない。
【産業上の利用可能性】
【００３３】
本考案の電球形ＬＥＤ照明灯１は、電球用の照明器具を利用する者であれば誰でも利用可能である。
【符号の説明】
【００３４】
１…透光性キャップ、１…電球形ＬＥＤ照明灯、２…レンズ／レンズホルダ、３…取り付けネジ、４…ＬＥＤ基板、５…放熱シート、７…ホルダ、８…取り付けネジ、９…回路基板、１０…インシュレータ、１２…口金。
【図１】
0003151497.tif 000003
【図２】
0003151497.tif 000004